【手続補正書】
【提出日】平成17年4月14日(2005.4.14)
【手続補正１】
【補正対象書類名】明細書
【補正対象項目名】００１２
【補正方法】変更
【補正の内容】
【００１２】
図４，５，６は、図１，２のおむつ１を接合部位４において剥離し、前後胴周り被覆域６，７をおむつ１の前方向と後方向へ延びる矢印Ｐ，Ｑの方向へ伸展したものの平面図と、その平面図を部分的に破断した図と、図４の平面図におけるＶＩ−ＶＩ線切断面を示す図である。伸展した状態のおむつ１には、縦中心線Ａ−Ａに直交し、図の上下方向の長さを二等分しておむつ１の幅方向へ延びる横中心線Ｂ−Ｂも示されている。図４のおむつ１は、縦中心線Ａ−Ａに関してほぼ対称であり、横中心線Ｂ−Ｂに沿って折り重ねられると図１のおむつ１となる。
【手続補正２】
【補正対象書類名】明細書
【補正対象項目名】００１４
【補正方法】変更
【補正の内容】
【００１４】
吸収部３は、芯材２１と被覆シート２２とからなり、両側にバリア壁７０が形成され、図４，５において縦に長い矩形を呈し、縦中心線Ａ−Ａに並行して一対の側縁部分２６が延びており、側縁部分２６と直交して前後一対の端縁部分２７が胴周り方向へ延びている。芯材２１は、全体として矩形を呈し、おむつ着用者の肌側に位置する内面２３と、着衣側に位置する外面２４と、縦方向へ延びる一対の側縁４０ａと胴周り方向へ延びる一対の端縁４０ｂとを有する。芯材２１はまた、横中心線Ｂ−Ｂと一致する鎖線Ｒ（第３折曲部）と、縦中心線Ａ−Ａと横中心線Ｂ−Ｂとが交わる芯材２１の中央部から前胴周り被覆域６方向へほぼＶ字形を画いて両側縁４０ａにまで延びる鎖線Ｓ（第１折曲部）と、縦中心線Ａ−Ａと横中心線Ｂ−Ｂとが交わる中央部から後胴周り被覆域７方向へほぼＶ字形を画いて両側縁４０ａにまで延びる鎖線Ｔ（第２折曲部）とに沿って延びる溝２０ｒ，２０ｓ，２０ｔを有し、これらの溝２０ｒ，２０ｓ，２０ｔによって芯材要素２１ａ，２１ｂ，２１ｃ，２１ｄ，２１ｅ，２１ｆに分けられている。溝２０ｒと溝２０ｓとのなす角度はαであり、溝２０ｒと溝２０ｔとがなす角度はβであって、図ではαとβの大きさが同じである。股部被覆域８において、吸収部３の幅はその被覆域８の幅よりも狭く、図１，２，３において脚周り開口１１を形成している被覆域８の側縁部分８ａは、吸収部３の外面３ｂの側に位置していて、吸収部３の側縁部分２６を越えておむつ１の幅方向外方ヘ向かって広がり、開口１１を一周する脚周りフラップ１１ａを形成している。
芯材要素２１ａ〜２１ｆは、粉砕パルプや高吸水性ポリマー粒子等の吸水性材料を適宜の力で圧縮することにより、また必要ならば圧縮したものをティシューペーパや親水化処理された熱可塑性合成繊維からなる不織布で覆うことにより形成される。各芯材要素２１ａ〜２１ｆの内面２３またはその内面２３を覆うティシューペーパ（図示せず）等は、被覆シート２２に接着しておくことができる。また、芯材要素２１ａ〜２１ｆの外面２４、またはその外面２４を覆うティシュペーパ等は内面シート１６に接着しておくことができる。
被覆シート２２は、芯材２１の幅方向において芯材要素２１ａ〜２１ｆそれぞれの内面２３を覆い、側縁４０ａに沿って外面２４にまで延びて、側縁４０ａ近傍の外面２４を覆っている。外面２４において、被覆シート２２の両側縁部２２ａが芯材２１の幅方向外側へ向かって折り返され、その折り返された両側縁部２２ａそれぞれが、バリア壁７０にホットメルト接着剤２９を介して接着している。被覆シート２２はまた、芯材２１の端縁４０ｂを越えて延びる端縁部分２７がホットメルト接着剤（図示せず）を介して内面シート１６に接合している。かような被覆シート２２は、芯材２１の側縁４０ａの近傍において、Ｚ字型または逆Ｚ字型に折り畳まれた状態にある（図５，６参照）。被覆シート２２には、透液性の不織布や開孔プラスチックフィルム、これら不織布とフィルムとの積層シート等が使用される。
図７は、図４のＶＩＩ−ＶＩＩ線部分断面図であって、股部被覆域８におけるバリア壁７０を示し、仮想線で示されたバリア壁７０は、図３の状態のバリア壁７０に対応している。バリア壁７０は、不織布やプラスチックフィルム等のシート７９、より好ましくは不透液性のシート、さらに好ましくは通気不透液性のシートからなるもので、図示例ではシート７９を重ねることにより形成され、縦中心線Ａ−Ａに平行な内側縁部７１と外側縁部７２とを有する。内側縁部７１は、吸収部３の外面側にあって、被覆シート２２の折り返された側縁部２２ａと内面シート１６とに接着剤２９または溶着によって接合しており、吸収部３の側縁部分２６の近傍では、吸収部３の外面２４から離間している（図３参照）。吸収部３の幅方向において、バリア壁７０は吸収部３の外面２４の側から、側縁部分２６に沿って内面２３の側へ折曲されて縦中心線Ａ−Ａへ向かった後に、外側縁部７２が吸収部３の幅方向外側へ向くように幅方向の中間部位７３において折曲されて、幅方向断面がＺ字型または逆Ｚ字型を呈している。かように折曲されたバリア壁７０は、吸収部３の端縁部２７において、吸収部３の内面を形成している被覆シート２２に接合する他に、重なり合うバリア壁７０どうしが接合しているが、股部被覆域８においては、図７に示されるように、内側縁部７１が被覆シート２２の折り返されている側縁部２２ａと内面シート１６とに接合していることを除くと、吸収部３の内面３ａに接合することもなければ、バリア壁７０どうしで接合することもない。かようなバリア壁７０はまた、図３，４に示されているように、内側縁部７１のうちで、吸収部３の外面２４から離間している部位７１ａと、外側縁部７２の縁７２ａと、外側縁部７２が外側へ折り返されている中間部位７３の近傍とに、それぞれ少なくとも１条からなる第１，２，３弾性部材７６，７７，７８を有する。これら第１，２，３弾性部材７６，７７，７８は、吸収部３の両端縁部分２７と２７との間で伸張状態にあり、互いに重なり合うシート７９と７９とのうちの少なくとも一方の内面に接合している。
【手続補正３】
【補正対象書類名】明細書
【補正対象項目名】図面の簡単な説明
【補正方法】変更
【補正の内容】
【図面の簡単な説明】
【図１】
パンツ型の使い捨ておむつの斜視図。
【図２】
図１のおむつを部分的に破断したときの概略図。
【図３】
図１のＩＩＩ−ＩＩＩ線断面図。
【図４】
図１のおむつを伸展した図面。
【図５】
図４のおむつを部分的に破断して示す図。
【図６】
図４のＶＩ−ＶＩ線に沿った切断面を示す図。
【図７】
図４のＶＩＩ−ＶＩＩ線部分断面図。
【図８】
従来技術のおむつの斜視図。
【手続補正４】
【補正対象書類名】図面
【補正対象項目名】図３
【補正方法】変更
【補正の内容】
【図３】
2004089491.tif 000001
【手続補正５】
【補正対象書類名】図面
【補正対象項目名】図４
【補正方法】変更
【補正の内容】
【図４】
2004089491.tif 000002
【手続補正６】
【補正対象書類名】図面
【補正対象項目名】図５
【補正方法】変更
【補正の内容】
【図５】
2004089491.tif 000003
【手続補正７】
【補正対象書類名】図面
【補正対象項目名】図６
【補正方法】変更
【補正の内容】
【図６】
2004089491.tif 000004
【手続補正８】
【補正対象書類名】図面
【補正対象項目名】図７
【補正方法】変更
【補正の内容】
【図７】
2004089491.tif 000005